(57)【要約】【課題】  回折格子をハウジングに取り付けるための部品点数及び作業工程を減らすことが可能な光ピックアップ装置を提供する。【解決手段】  レーザ光源６と対物レンズ５との間の光軸上に介在し、レーザ光源６から出射されるレーザ光を回折する回折格子８と、回折格子８が収容される収容室２０を有するハウジング２とを備え、収容室２０は、回折格子８の格子面８２において周期構造が繰り返される第１方向Ａと直交する第２方向Ｂへ回折格子８が移動することを禁止する形状を呈する光ピックアップ装置１を構成する。【選択図】  図２
2013069353.tif 000002
【特許請求の範囲】
【請求項１】
レーザ光源と対物レンズとの間の光軸上に介在し、前記レーザ光源から出射されるレーザ光を回折する回折格子と、
前記回折格子が収容される収容室を有するハウジングと、
を備え、
前記収容室は、前記回折格子の格子面において周期構造が繰り返される第１方向と直交する第２方向へ前記回折格子が移動することを禁止する形状を呈する
ことを特徴とする光ピックアップ装置。
【請求項２】
前記収容室に収容されている前記回折格子に対し、前記回折格子が前記光軸方向に移動することを禁止する弾性力を付与する弾性体、
を備えたことを特徴とする請求項１に記載の光ピックアップ装置。
【請求項３】
レーザ光源と対物レンズとの間の光軸上に介在し、前記レーザ光源から出射されるレーザ光を回折する回折格子と、
前記回折格子と前記対物レンズとの間の光軸上に介在し、前記レーザ光が前記対物レンズに向かうように前記レーザ光を反射する反射ミラーと、
前記回折格子が収容される第１収容室と、前記反射ミラーが収容される第２収容室と、を有するハウジングと、
を備え、
前記第２収容室は、前記レーザ光が前記対物レンズの略中心を透過するように前記反射ミラーの反射面に対する前記レーザ光の反射角度を調整可能な形状を呈する
ことを特徴とする光ピックアップ装置。
【請求項４】
前記第２収容室は、前記回折格子の格子面において周期構造が繰り返される第１方向及び前記第１方向と直交する第２方向の少なくとも何れか一方に対応する方向へ、前記反射ミラーの前記反射面に対する前記レーザ光の反射角度を調整可能な形状を呈する
ことを特徴とする請求項３に記載の光ピックアップ装置。
【請求項５】
前記反射ミラーの前記反射面に対する前記レーザ光の前記反射角度は、ゴニオステージにより調整される
ことを特徴とする請求項４に記載の光ピックアップ装置。
【発明の詳細な説明】
【技術分野】
【０００１】
本発明は、光ピックアップ装置に関する。
【背景技術】
【０００２】
例えば、光ピックアップ装置のトラッキングエラー信号の検出方式として、インライン型ＤＰＰ（Differential Push-Pull：差動プッシュプル）方式が知られている。このインライン型ＤＰＰ方式では、分割された領域に夫々所定の周期構造が設けられた回折格子を用いてレーザ光源から出射されたレーザ光をメインビームとサブビームとに分離する。そして、これらの光ビームを対物レンズにより光ディスクの記録面上に集光してメインスポットとサブスポットを形成し、これらのスポットの反射光を夫々光検出器で受光する。この光検出器で検出される検出信号に基づいて演算を行うことでトラッキングエラー信号が得られる。
【０００３】
このような、インライン型ＤＰＰ方式では、所定の周期構造を有する少なくとも２つの領域に分割された回折格子を用いる。この場合、正確なトラッキング信号を得るためには、回折格子に照射されるレーザ光の光量が回折格子の分割された各領域で均等となるように、周期構造全体の中心を、レーザ光の光軸に略一致させる必要がある。そこで、回折格子の位置決め調整が可能な光ピックアップ装置が知られている（例えば特許文献１を参照）。
【０００４】
この光ピックアップ装置では、第１ホルダに回折格子が支持され、第１ホルダはレーザ光の光軸回りに回動可能に第２ホルダに結合されている。この第１ホルダ及び第２ホルダは、ハウジングに設けられた収容室に収容されている。収容室内では、第２ホルダに対して第１ホルダが回動可能であり、第１及び第２ホルダが回折格子の格子面において周期構造が繰り返される第１方向と直交する第２方向に移動可能になっている。つまり、調整治具等を用いて、第１ホルダを回動させることで、レーザ光に対して回折格子の格子面が回動調整される。また、第２ホルダを第２方向に移動させることで、回動調整とは独立に、レーザ光に対する回折格子の第２方向の位置が調整される。
【先行技術文献】
【特許文献】
【０００５】
【特許文献１】特開２００８−９７６６７号公報
【発明の概要】
【発明が解決しようとする課題】
【０００６】
しかしながら、前述した光ピックアップ装置では、回折格子をハウジングに取り付けるために第１及び第２ホルダの２つの部品が必要となり、光ピックアップ装置が大型化してしまう虞があった。また、第１ホルダと第２ホルダを結合するための作業工程等が余分に必要となり、光ピックアップ装置の組み立て作業が煩雑となる虞があった。
【課題を解決するための手段】
【０００７】
前述した課題を解決する主たる発明は、レーザ光源と対物レンズとの間の光軸上に介在し、前記レーザ光源から出射されるレーザ光を回折する回折格子と、前記回折格子が収容される収容室を有するハウジングとを備え、前記収容室は、前記回折格子の格子面において周期構造が繰り返される第１方向と直交する第２方向へ前記回折格子が移動することを禁止する形状を呈することを特徴とする光ピックアップ装置である。
【０００８】
本発明の他の特徴については、添付図面及び本明細書の記載により明らかとなる。
【発明の効果】
【０００９】
本発明によれば、回折格子をハウジングに取り付けるための部品点数及び作業工程を減らすことが可能な光ピックアップ装置を提供できる。
【図面の簡単な説明】
【００１０】
【図１】本実施形態にかかる光ピックアップ装置の斜視図である。
【図２】図１に示す光ピックアップ装置のカバー及び対物レンズホルダを省略した斜視図である。
【図３】図１に示す光ピックアップ装置における光学系を説明するための斜視図である。
【図４】図１に示す光ピックアップ装置における回折格子の格子面を示す図である。
【図５】対物レンズのトラッキング方向の移動量に対するトラッキングエラー信号のレベル変化を示す視野特性図である。
【図６Ａ】図１に示す光ピックアップ装置の裏面側の斜視図である。
【図６Ｂ】図６Ａに示す光ピックアップ装置の破線で囲まれた部分をａ−ａ’で切断した拡大図である。
【図６Ｃ】図６Ｂに示す光ピックアップ装置の断面の正面図である。
【図６Ｄ】図６Ａに示す光ピックアップ装置の破線で囲まれた部分の拡大図である。
【図７Ａ】図１に示す光ピックアップ装置の反射ミラーの位置調整を説明するための図である。
【図７Ｂ】図７Ａに示す光ピックアップ装置の反射ミラーの拡大図である。
【図８Ａ】図７Ａに示す光ピックアップ装置のハウジングと反射ミラーとの接着について説明するための斜視図である。
【図８Ｂ】図８Ａに示す光ピックアップ装置の破線で囲まれた部分の拡大図である。
【図９Ａ】ゴニオステージ及び反射ミラーの側面図である。
【図９Ｂ】図９Ａに示すゴニオステージ及び反射ミラーの斜視図である。
【図９Ｃ】図７Ａに示す光ピックアップ装置にゴニオステージが取り付けられた場合の斜視図である。
【発明を実施するための形態】
【００１１】
本明細書及び添付図面の記載により、少なくとも以下の事項が明らかとなる。
【００１２】
===光ピックアップ装置===
<<<全体構成について>>>
図１乃至図３を参照して本実施形態にかかる光ピックアップ装置１の全体構成について説明する。
【００１３】
光ピックアップ装置１において、フォーカス方向Ｆは、例えば対物レンズ５においてレーザ光が透過する光軸方向とされている。また、トラッキング方向Ｔｒは、例えばフォーカス方向Ｆに直交し、不図示の光ディスクの半径方向とされている。このトラッキング方向Ｔｒは、光ディスクの内周側から外周側にかけた光ピックアップ装置１の移動方向、及び／又は、光ディスクの外周側から内周側にかけた光ピックアップ装置１の移動方向とされている。また、タンジェンシャル方向Ｔｎは、例えばフォーカス方向Ｆに直交すると共に、光ディスクの半径方向とされ且つ光ピックアップ装置１の移動方向とされるトラッキング方向Ｔｒに直交し、光ディスクの略螺旋状／円周状方向とされている。
【００１４】
また、光ディスクの近傍に位置し、側面視された光ピックアップ装置１を基準としたときに、光ディスクに対し、光ピックアップ装置１の対物レンズ５が近づいてゆく側をフォーカス方向Ｆの＋側とし、対物レンズ５が遠ざかってゆく側をフォーカス方向Ｆの−側とする。また、光ディスクの近傍に位置し、平面視された光ピックアップ装置１の対物レンズ５を基準としたときに、光ディスクの内周側をトラッキング方向Ｔｒの＋側とし、光ディスクの外周側をトラッキング方向Ｔｒの−側とする。また、光ディスクの近傍に位置し、平面視された光ピックアップ装置１の対物レンズ５を基準としたときに、時計回り方向側をタンジェンシャル方向Ｔｎの＋側とし、反時計回り方向側をタンジェンシャル方向Ｔｎの−側とする。
【００１５】
尚、この発明における各方向ならびに各方向の±側は、光ピックアップ装置１を基準として光ディスクを眺めたときの各方向ならびに各方向の±側とされている。この明細書における各方向ならびに各方向の±側等の定義は、光ピックアップ装置１を説明するための便宜上の定義とされている。
【００１６】
光ピックアップ装置１は、ハウジング２に、対物レンズホルダ４と、対物レンズ５と、レーザ光源６と、ホルダ７と、回折格子８と、偏光ビームスプリッタ９と、１／４波長板１０と、コリメータレンズ１１と、反射ミラー１２と、平行平板１３、１４と、光検出器１５と、受光素子１６とが収容されて構成されている。また、ハウジング２には、対物レンズ５及びこの対物レンズ５を支持する対物レンズホルダ４以外の構成を覆うように、カバー３が取り付けられている。そして、カバー３から露出する対物レンズ５に、ＣＤ（Compact Disc）、ＤＶＤ（Digital Versatile Disc）、Ｂｌｕ−ｒａｙ（Blu-ray Disc）（登録商標）等の単層または複層の情報記録面（信号層）等を有する光ディスクが対向するようになっている。光ピックアップ装置１は、光ディスクの情報記録面にレーザ光を照射することにより、情報の記録、再生、消去等を行う。そこで、光ピックアップ装置１のレーザ光源６から夫々出射されるレーザ光の光学系の一例について説明する。
【００１７】
レーザ光源６は、不図示のレーザドライバから制御電圧が印加されることで、ＣＤの情報記録面に照射するための赤外波長帯（例えば７６５ｎｍ〜８４０ｎｍ）のレーザ光を出射する。また、レーザ光源６は、レーザドライバから制御電圧が印加されることで、ＤＶＤの情報記録面に照射するための赤色波長帯（例えば６３０ｎｍ〜６８５ｎｍ）のレーザ光を出射する。また、レーザ光源６は、レーザドライバから制御電圧が印加されることで、Ｂｌｕ−ｒａｙの情報記録面に照射するための青紫色波長帯（例えば４００ｎｍ〜４５０ｎｍ）のレーザ光を出射する。つまり、不図示のターンテーブルにＣＤ規格の第１光ディスク（不図示）が装着された場合、レーザ光源６から赤外波長帯のレーザ光が出射される。また、ターンテーブルにＤＶＤ規格の第２光ディスク（不図示）が装着された場合、レーザ光源６から赤色波長帯のレーザ光が出射される。また、ターンテーブルにＢｌｕ−ｒａｙ規格の第３光ディスク（不図示）が装着された場合、レーザ光源６から青紫色波長帯のレーザ光が出射される。この光ピックアップ装置１は、例えば前記各種規格の光ディスクのうち少なくとも一種以上の規格の光ディスクに対応する。尚、以下、第１乃至第３光ディスクを光ディスクと総称する。
【００１８】
このように、レーザ光源６は、レーザドライバから制御電圧が印加されることで、各種光ディスクの情報記録面に照射するためのレーザ光を出射する。光ピックアップ装置１は、このレーザ光源６からのレーザ光を、対物レンズ５を介して各種光ディスクの情報記録面に照射することで、情報の記録、再生、消去等を行う。そこで、光ピックアップ装置１のハウジング２に収容された光学系の各構成について、レーザ光源６から出射されたレーザ光が対物レンズ５を介して光ディスクに照射されるまでの光路（往路）と、光ディスクで反射されたレーザ光が光検出器１５に受光されるまでの光路（復路）とにわけて説明する。
【００１９】
<<<レーザ光の往路について>>>
先ず、レーザ光の往路に介在する構成について説明する。レーザ光源６から出射されたレーザ光は順に、ホルダ７に支持される回折格子８、偏光ビームスプリッタ９、１／４波長板１０、コリメータレンズ１１、反射ミラー１２、対物レンズ５を介した後に光ディスクの情報記録面に照射される。
【００２０】
レーザ光源６から出射されたレーザ光は、回折格子８によって回折され、１つのメインビームと少なくとも２つのサブビームとに分光される。尚、回折格子８は、格子面８２がレーザ光の光軸と直交するようにホルダ７に支持された状態で、ハウジング２に設けられた第１収容室２０に収容されている。回折格子８の具体的な構成と、ハウジング２に対するホルダ７の取り付け構造については後述する。
【００２１】
回折格子８で分光されたレーザ光は、偏光ビームスプリッタ９によって１／４波長板１０に向けて反射される。１／４波長板１０に入射されたレーザ光は直線偏光から円偏光に変換される。円偏光に変換されたレーザ光はコリメータレンズ１１に入射され略平行光に変換される。略平行光に変換されたレーザ光は、反射ミラー１２によって対物レンズ５に向けて反射される。尚、反射ミラー１２は、ハウジング２に設けられた第２収容室２１に収容されている。ハウジング２に対する反射ミラー１２の取り付け構造については後述する。対物レンズ５に入射されたレーザ光は、光ディスクの情報記録面に集光され、少なくとも３つの集光スポットとなる。
【００２２】
尚、受光素子１６は、レーザ光源６から出射されたレーザ光のうち、偏光ビームスプリッタ９を透過した成分を検出して、これに応じた信号を出力する。この信号に基づいて、レーザ光源６に対するフィードバックをかけるための信号が生成される。
【００２３】
<<<レーザ光の復路について>>>
次に、レーザ光の復路に介在する構成について説明する。光ディスクの情報記録面上に形成された少なくとも３つの集光スポットから反射されたレーザ光は順に、対物レンズ５、反射ミラー１２、コリメータレンズ１１、１／４波長板１０、偏光ビームスプリッタ９、平行平板１３、平行平板１４を介した後に光検出器１５に受光される。
【００２４】
光ディスクから反射されたレーザ光は、対物レンズ５によって略平行光に変換される。略平行光に変換されたレーザ光は、反射ミラー１２によってコリメータレンズ１１に向けて反射され、コリメータレンズ１１によって収束光に変換される。収束光に変換されたレーザ光は、１／４波長板１０によって円偏光から直線偏光に変換される。直線偏光に変換されたレーザ光は、偏光ビームスプリッタ９によって平行平板１３に向けて透過され、平行平板１３によって非点収差が補正される。非点収差が補正されたレーザ光は、平行平板１４によって、フォーカスエラー成分となる非点収差が与えられると共に、偏光ビームスプリッタ９及び平行平板１３で発生したコマ収差が補正された後、光検出器１５に受光される。
【００２５】
尚、レーザ光を受光した光検出器１５は、レーザ光のメインビームの光量に応じて光電変換した電気信号を生成して不図示の処理回路に出力する。この結果、メインビームに応じた電気信号に基づいて、光ディスクの情報記録面からの情報再生が行われる。また、光検出器１５は、レーザ光のサブビームの光量に応じて光電変換した電気信号を生成し、処理回路に出力する。この結果、レーザ光のメインビーム及びサブビームに応じた電気信号に基づいて、トラッキングエラー信号（ＴＥ信号）やフォーカスエラー信号（ＦＥ信号）等が生成される。これらの信号に基づいて、光ピックアップ装置１の対物レンズホルダ４がトラッキング方向Ｔｒやフォーカス方向Ｆに変位する。
【００２６】
<<<回折格子について>>>
図４を参照しつつ、回折格子８の具体的な構成について説明する。回折格子８は、例えばレーザ光源６からのレーザ光を透過させるガラス／プラスチックを基材として形成され、例えばフォトエッチング等の加工等によって凹部８０と凸部８１とを交互に繰り返す周期構造が形成された格子面８２を有している。この格子面８２は、分割線８ｃを境界として接合される第１領域８ａと第２領域８ｂとを備えて構成されている。第１領域８ａ及び第２領域８ｂの周期構造は、夫々分割線８ｃの方向に沿って繰り返され、互いの位相差が１８０度となっている。これによって、分割線８ｃを通るように、回折格子８にレーザ光を入射することで、レーザ光が１つのメインビームと、少なくとも互いに位相が１８０度異なる２つのサブビームとに分光される。回折格子８は、少なくとも第１領域８ａと第２領域８ｂとの複数の領域を備える複数分割タイプの回折格子８として構成されている。例えば少なくとも第１領域８ａと第２領域８ｂとの領域を備える偶数分割タイプの回折格子８が用いられることが好ましい。尚、回折格子８の格子面８２において周期構造が繰り返される方向を第１方向Ａとし、第１方向Ａと直交する方向を第２方向Ｂとする。つまり、分割線８ｃは、回折格子８の第２方向Ｂにおける中心を第１方向Ａに沿って伸びて第１領域８ａと第２領域８ｂとを分割している。
【００２７】
この回折格子８で分光された少なくとも３つのビームは、前述したように対物レンズ５によって光ディスクの情報記録面上に集光され、少なくとも３つの集光スポットとなる。インライン型ＤＰＰ方式において、ＴＥ信号の精度を高めるためには、この少なくとも３つの集光スポットが、光ディスクの同一トラック上に形成される必要がある。少なくとも３つの集光スポットが光ディスクの同一トラック上に形成されるためには、少なくとも２つのサブビームの位相の対称性を高めるべく、レーザ光の光軸（レーザ光の強度中心点）が、回折格子８の分割線８ｃ上を通り且つ基準位置にある場合の対物レンズ５の略中心を通ることが好ましい。基準位置とは、対物レンズ５がトラッキング方向Ｔｒの＋側にも−側にも変位しておらず、対物レンズ５のトラッキング方向Ｔｒの移動量（以下単に移動量と称する）がゼロとなる位置である。
【００２８】
ここで、図５を参照しつつ、回折格子８を通るレーザ光の光軸の位置と、対物レンズ５の移動量と、ＴＥ信号のレベル変化との関係について説明する。尚、図５は、対物レンズ５が基準位置にあるときにレーザ光が対物レンズ５の略中心を通る場合の、対物レンズ５の移動量に対するＴＥ信号の振幅の劣化の度合いを示す視野特性図である。この視野特性図には、対物レンズ５が基準位置からトラッキング方向Ｔｒの＋側に移動した場合と−側に移動した場合でのＴＥ信号の対称性（視野特性の対称性）が示されている。視野特性の対称性が高いほどＴＥ信号の精度が高められる。
【００２９】
図５において、実線で示される曲線ＣＰは、レーザ光の光軸が回折格子８の分割線８ｃ上を通る場合のＴＥ信号の視野特性である。曲線ＣＰは、対物レンズ５が基準位置にあるときに極大値を示し、この極大値を中心に対物レンズ５の移動量の＋側及び−側で略対称となっている。これに対して、点線で示す曲線ＣＱ及び一点鎖線で示す曲線ＣＲは夫々、レーザ光の光軸が回折格子８の分割線８ｃ上から第１領域８ａ側にずれている場合及び第２領域８ｂ側にずれている場合のＴＥ信号の視野特性である。曲線ＣＱ及び曲線ＣＲはともに、対物レンズ５が基準位置にあるときに極大値を示さず、視野特性の対称性が曲線ＣＲに比べて低下している。
【００３０】
このため、光ピックアップ装置１では、ＴＥ信号の精度を高めるべく、レーザ光源６から出射されるレーザ光の光軸の位置と、回折格子８の分割線８ｃの位置とを予め考慮して、ハウジング２にホルダ７が取り付けられる。
【００３１】
<<<ハウジングに対するホルダの取り付け構造について>>>
図６Ａ乃至図６Ｄを参照しつつ、ハウジング２に対するホルダ７の取り付け構造について説明する。光ピックアップ装置１では、ホルダ７に支持される回折格子８がレーザ光源６と偏光ビームスプリッタ９との間の光軸上に介在するように、ハウジング２に設けられた第１収容室２０にホルダ７が収容される。
【００３２】
ホルダ７は、回折格子８の格子面８２を露出させるように、この格子面８２の外縁側を格子面８２に直交する方向の両側から挟持している。また、ホルダ７は、第１収容室２０に収容された際に、回折格子８の格子面８２と直交する方向のレーザ光源６側に向かって突出する筒部材７０を備えている。
【００３３】
第１収容室２０は、レーザ光の光軸が回折格子８の分割線８ｃを通るようにホルダ７を収容すると共に、収容したホルダ７が第２方向Ｂへ移動することを禁止する形状を呈している。具体的には、第１収容室２０は、レーザ光源６から出射されるレーザ光の光軸と直交する壁２０ａ、２０ｂを備えている。これらの互いに対向する壁２０ａ、２０ｂには夫々レーザ光が通過するための切欠き２０ｃ、２０ｄが形成されている。また、第１収容室２０のレーザ光源６側の第１の壁２０ｂの内面２０ｆには、ホルダ７の筒部材７０と回動可能に結合される筒部材２０ｅが形成されている。筒部材２０ｅは、レーザ光の光軸方向Ｃ（第３方向）に沿ってホルダ７側に向かって突出し、筒部材７０の外径より僅かに長い内径を有している。筒部材２０ｅの内面２０ｆに筒部材７０の外面７ａが対向するように、筒部材２０ｅと筒部材７０とが嵌合されることで、ホルダ７は第１収容室２０にレーザ光の光軸回りに回動可能に収容され、回折格子８は格子面８２がレーザ光の光軸と直交するように配置される。また、第１収容室２０内において、ホルダ７及び回折格子８が第２方向Ｂへ移動することが禁止される。尚、光軸方向Ｃとは、例えばレーザ光源６から出射され第１収容室２０内に位置する回折格子８の分割線８ｃを透過するレーザ光の軸方向とされている。
【００３４】
また、第１収容室２０には、ホルダ７に対して、ホルダ７がレーザ光の光軸方向Ｃに移動することを禁止する弾性力を付与する板ばね１７（板バネ／弾性体）がホルダ７と共に収容されている。尚、第１収容室２０のレーザ光の光軸方向Ｃの長さＬ１は、同方向Ｃのホルダ７の長さＬ２よりも長くなっている。よって、第１収容室２０の第２の壁２０ａに近い位置からホルダ７を挿入し、筒部材７０を筒部材２０ｅの内部２０ｇに押し入れることで、第１収容室２０の第２の壁２０ａとホルダ７との間に形成される空間２０ｈに板ばね１７が収容される。また、板ばね１７は、回折格子８と対向する面１７ａが切り欠かれている。板ばね１７によって、ホルダ７が第１収容室２０の第１の壁２０ｂに押し付けられることで、ホルダ７はレーザ光の光軸回りに回動可能なまま、レーザ光の光軸方向Ｃへの移動が禁止される。よって、不図示の調整治具等を用いて、ホルダ７を光軸回りに回動させることで、レーザ光の光軸に対する回折格子８の格子面８２を回動調整することができる。この際、ホルダ７の第２方向Ｂ及びレーザ光の光軸方向Ｃへの移動は禁止されているため、回折格子８の回動調整にともなって、回折格子８が第２方向Ｂやレーザ光の光軸方向Ｃへ移動してしまうことを防止できる。
【００３５】
このように、光ピックアップ装置１では、レーザ光源６から出射されるレーザ光の光軸が、回折格子８の分割線８ｃ上を通るように、ハウジング２に対して第１収容室２０が設けられている。これによって、例えば、回折格子８の回動調整と、第２方向Ｂの位置調整とを独立に行うためにホルダ７を２つの部品から構成する必要がなく、回折格子８をハウジング２に取り付けるための部品点数や作業工程を減らすことができる。また、部品点数を削減できる分、光ピックアップ装置１を小型化すること及び製造コストを削減することができる。
【００３６】
ところで、光ピックアップ装置１では、ＴＥ信号の精度を高めるべく、予め、レーザ光源６と回折格子８との位置関係を考慮して設けられた第１収容室２０に、第２方向Ｂへの移動が禁止された状態でホルダ７が収容される。しかし、ＴＥ信号の精度をより高めるためには、例えばハウジング２内の光学系における構成や組み立てによって生じたばらつきも考慮する必要がある。
【００３７】
そこで、光ピックアップ装置１では、ハウジング２に反射ミラー１２を取り付ける際に、実際の構成や組み立てによって生じたばらつきに応じて、反射ミラー１２の反射面１２ａに対するレーザ光の反射角度を調整して、対物レンズ５を通るレーザ光の光軸の位置を調整する。
【００３８】
<<<ハウジングに対する反射ミラーの取り付け構造について>>>
以下、図７Ａ乃至図９Ｄを参照しつつ、ハウジング２に対するホルダ７の取り付け構造について説明する。光ピックアップ装置１では、反射ミラー１２が、コリメータレンズ１１と対物レンズ５との間のレーザ光の光軸上に介在するように、ハウジング２に設けられた第２収容室２１に収容される。
【００３９】
第２収容室２１は、収容した反射ミラー１２の反射面１２ａに対するレーザ光の反射角度、即ち、コリメータレンズ１１からのレーザ光の光軸に対する反射ミラー１２の反射面１２ａの角度（以下単に反射面１２ａの角度と称する）を調整することが可能な形状を呈している。具体的には、第２収容室２１は、フォーカス方向Ｆの＋側及びコリメータレンズ１１と対向する側が開口する箱形状を呈している。また、第２収容室２１は、壁面２１ａ、２１ｂと反射ミラー１２との間に空間（隙間）２１ｃが形成されるように、反射ミラー１２よりも僅かに大きい形状を呈している。
【００４０】
これによって、第２収容室２１の内部２１ｄにおいて、反射ミラー１２の反射面１２ａのトラッキング方向Ｔｒの＋側を、−側に対してフォーカス方向Ｆの＋側（図７Ｂに矢印ｂで示す方向）に移動させることで、反射ミラー１２で反射されたレーザ光の光軸をトラッキング方向Ｔｒの−側に移動させることができる。同様にして、図７Ｂに矢印ｃで示す方向に反射ミラー１２を移動させることで、レーザ光の光軸をタンジェンシャル方向Ｔｎの−側に移動させることができる。また、図７Ｂに矢印ｄで示す方向に反射ミラー１２を移動させることで、レーザ光の光軸をトラッキング方向Ｔｒの＋側に移動させることができる。また、図７Ｂに矢印ｅで示す方向に反射ミラー１２を移動させることで、レーザ光の光軸をタンジェンシャル方向Ｔｎの＋側に移動させることができる。
【００４１】
第２収容室２１の内部２１ｄにおいて、反射面１２ａの角度が調整された反射ミラー１２は、接着剤によって第２収容室２１のフォーカス方向Ｆの−側の壁面（底面）２１ｂに対して固定される。接着剤は、紫外線が照射されることで硬化するＵＶ（ultraviolet）硬化型の接着剤であり、例えば図８Ｂに示すように第２収容室２１の底面上に少なくとも３つの接着スポット２２ａ、２２ｂ、２２ｃとして配置される。第２収容室２１に収容された反射ミラー１２は、先ず、ＵＶ照射前の接着スポット２２ａ、２２ｂ、２２ｃの上に載置される。次に、反射ミラー１２は、光ピックアップ装置１の光学系における構成や組み立てによって生じたばらつきに応じて、前述した方向に反射面１２ａの角度が調整される。そして、調整された反射ミラー１２の反射面１２ａの角度を維持したまま、接着スポット２２ａ、２２ｂ、２２ｃにＵＶ照射を行う。これによって接着剤が硬化するため、反射面１２ａの角度が調整された状態で、ハウジング２に対して反射ミラー１２が取り付けられる。
【００４２】
<<<反射ミラーの反射面に対するレーザ光の反射角度の調整について>>>
以下、主に図９Ａ乃至図９Ｃを参照して、光ピックアップ装置１の光学系における構成や組み立てによって生じたばらつきに応じて、反射ミラー１２の反射面１２ａの角度を調整する方法の一例について説明する。
【００４３】
本実施形態では、ゴニオステージ３０及び不図示のオートコリメータを用いて第２収容室２１に反射ミラー１２を収容し、反射面１２ａの角度を調整しつつ、ハウジング２に反射ミラー１２を取り付ける。この際に、レーザ光の往路において、レーザ光源６から反射ミラー１２までの構成に生じたばらつきに応じて、反射ミラー１２の反射面１２ａの角度を調整することで、対物レンズ５を通るレーザ光の光軸の位置を調整する。
【００４４】
ゴニオステージ３０は、本体３４と、本体３４に備えられる調節摘み（調節ツマミ）３２、３３と、本体３４に備えられる吸着部材３１とを備えている。調節摘み３２を回動させることで、本体３４のステージ３４ａを図９Ｂに矢印ｇで示す方向に移動させることができる。また、調節摘み３３を回動させることで、本体３４のステージ３４ａを図９Ａに矢印ｆで示す方向に移動させることができる。吸着部材３１は、一端が本体３４のステージ３４ａに取り付けられ、ステージ３４ａに連動する。また、吸着部材３１の他端は、不図示の吸着パッド等が取り付けられ、この吸着パッドによって反射ミラー１２の反射面１２ａに対して着脱可能となっている。
【００４５】
オートコリメータは反射ミラー１２に調整用のレーザ光を照射し、その反射光の光軸の位置（測定位置）と、目的とする角度に反射ミラー１２を傾けたときに得られる反射光の光軸の位置（目標位置）とを不図示のモニタ等に表示する。よって、例えば、オートコリメータのモニタの表示を確認しつつ、ゴニオステージ３０の調整摘み３２、３３を回動させることで、反射ミラー１２の反射面１２ａの角度を目標とする角度へと調整できる。
【００４６】
以下、ゴニオステージ３０及びオートコリメータによって、反射ミラー１２からのレーザ光の光軸が、基準位置の対物レンズ５の略中心を通るように、反射ミラー１２の反射面１２ａの角度を調整する場合について説明する。
【００４７】
先ず、ハウジング２内に反射ミラー１２及び対物レンズ５を除く光学系を組み込む。そして、レーザ光源６からレーザ光を出射させ、回折格子８、偏光ビームスプリッタ９、１／４波長板１０、コリメートレンズ１１を介して、反射ミラー１２から反射されたレーザ光の光軸のフォーカス方向Ｆに対する角度（検出光軸角度）を検出する。この検出光軸角度には、レーザ光源６から反射ミラー１２までの構成にばらつきが生じていた場合、対物レンズ５の中心位置を通るレーザ光の光軸のフォーカス方向Ｆに対する角度（目標光軸角度）との間にずれが生じている。よって、この検出光軸角度と目標光軸角度とのずれ量に応じて、反射ミラー１２からのレーザ光の光軸の位置が対物レンズ５の中心位置と略一致するように、オートコリメータに目標位置を設定する。
【００４８】
次に、図９Ｃに示すように、光ピックアップ装置１に対して、吸着部材３１の他端に反射ミラー１２を取り付けた状態で、本体３４を対物レンズ５が取り付けられる方向と平行になるように設置する。また、オートコリメータの反射ミラー１２に調整用のレーザ光を照射し、測定位置と、設定した目標位置とをモニタに表示する。このモニタを確認しつつ、目標位置に測定位置が略一致するように、ゴニオステージ３０の調整摘み３２、３３を回動させる。尚、調節摘み３２を回動させることで、図７Ｂに矢印ｂ又は矢印ｄで示す方向に反射ミラー１２を移動させることができる。また、調節摘み３３を回動させることで、図７Ｂに矢印ｃ又は矢印ｅで示す方向に反射ミラー１２を移動させることができる。
【００４９】
これによって、反射ミラー１２の反射面１２ａの角度を目標とする角度に調整する。そして、ゴニオメータ３０の吸着部材３１に反射ミラー１２が吸着されている状態で、接着スポット２２ａ、２２ｂ、２２ｃにＵＶ照射を行う。これによって接着剤が硬化すると、反射ミラー１２の反射面１２ａが調整され、この反射面１２ａに対するレーザ光の反射角度が調整される。このため、反射ミラー１２からのレーザ光の光軸が対物レンズ５の略中心を通るように、ハウジング２に対して反射ミラー１２を取り付けることができる。
【００５０】
尚、ここでは、反射ミラー１２からのレーザ光の光軸が対物レンズ５の略中心を通るように、反射ミラー１２の反射面１２ａの角度を調整する場合について説明した。しかし、例えばレーザ光源６から出射されるレーザ光の光軸の位置と、回折格子８の分割線８ｃの位置とにばらつきが生じていた場合、この回折格子８を通るレーザ光の光軸の位置に応じて、反射ミラー１２の反射面１２ａの角度を調整してもよい。これによって、よりＴＥ信号の精度を高めることができる。
【００５１】
例えば、図５に示す曲線ＣＱは、レーザ光の光軸が回折格子８の分割線８ｃよりも第１領域８ａ側にずれている場合のＴＥ信号の視野特性であるが、対物レンズ５がトラッキング方向Ｔｒの−側に約−０．１ｍｍ移動したときに極大値を示している。このため、基準位置の対物レンズ５を通るレーザ光の光軸の位置を、対物レンズ５の中心位置からトラッキング方向Ｔｒの例えば＋側に移動させることで、曲線ＣＱの視野特性の対称性を向上させ、ＴＥ信号の精度を高めることができる。
【００５２】
同様に図５に示す曲線ＣＲについては、基準位置の対物レンズ５を通るレーザ光の光軸の位置を、対物レンズ５の中心位置からトラッキング方向Ｔｒの例えば−側に移動させることで、視野特性の対称性を向上させ、ＴＥ信号の精度を高めることができる。
【００５３】
以上より、本実施形態に係る光ピックアップ装置１は、少なくとも、レーザ光源６と対物レンズ５との間の光軸上に介在し、レーザ光源６から出射されるレーザ光を回折する回折格子８と、回折格子８が収容される第１収容室２０を有するハウジング２と、を備え、第１収容室２０は、回折格子８の格子面８２において周期構造が繰り返される第１方向Ａと直交する第２方向Ｂへ回折格子８が移動することを禁止する形状を呈していればよい。
【００５４】
この光ピックアップ装置１によれば、予め、レーザ光源６から出射されるレーザ光の光軸が回折格子８の分割線８ｃ上を通るように、レーザ光源６と回折格子８との位置関係を考慮してハウジング２に第１収容室２０を設けている。そして、第１収容室２０に、第２方向Ｂへの移動が禁止された状態で、ホルダ７が収容される。これによって、例えば、回折格子８の回動調整と、第２方向Ｂの位置調整とを独立に行うためにホルダ７を２つの部品から構成する必要がなく、回折格子８をハウジング２に取り付けるための部品点数や作業工程を減らすことができる。また、部品点数を削減できる分、光ピックアップ装置１を小型化すること及び製造コストを削減することができる。
【００５５】
また、前述した光ピックアップ装置１において、第１収容室２０に収容されている回折格子８に対し、回折格子８が光軸方向Ｃに移動することを禁止する弾性力を付与する板ばね１７を備えている。この光ピックアップ装置１によれば、第１収容室２０内において、回折格子８を、レーザ光の光軸回りに回動可能且つ、光軸方向Ｃへの移動を禁止するように固定できる。これによって、回折格子８の回動調整にともなって、回折格子８が光軸方向Ｃへ移動してしまうことを簡単な構成で防止でき、ＴＥ信号の精度の低下等を容易に防止することができる。
【００５６】
また、本実施形態にかかる光ピックアップ装置１は、少なくとも、レーザ光源６と対物レンズ５との間の光軸上に介在し、レーザ光源６から出射されるレーザ光を回折する回折格子８と、回折格子８と対物レンズ５との間の光軸上に介在し、レーザ光が対物レンズ５に向かうようにレーザ光を反射する反射ミラー１２と、回折格子８が収容される第１収容室２０と、反射ミラー１２が収容される第２収容室２１と、を有するハウジング２と、を備え、第２収容室２１は、レーザ光が対物レンズ５の略中心を透過するように反射ミラー１２の反射面１２ａに対するレーザ光の反射角度を調整可能な形状を呈していればよい。
【００５７】
この光ピックアップ装置１によれば、ハウジング２内の光学系における構成や組み立てによって生じたばらつきを考慮して、反射ミラー１２からのレーザ光の光軸が対物レンズ５の略中心を透過するように、反射ミラー１２の反射面１２ａの角度を調整することができる。即ち反射ミラー１２の反射面１２ａに対するレーザ光の反射角度を調整することができる。これによって、回折格子８をハウジング２に取り付けるための部品点数や作業工程を減らすことができると共に、ＴＥ信号等の精度を高めることができる。
【００５８】
また、前述した光ピックアップ装置１において、第２収容室２１は、回折格子８の格子面８２において周期構造が繰り返される第１方向Ａ及び第１方向Ａと直交する第２方向Ｂの少なくとも何れか一方に対応する方向へ、反射ミラー１２の反射面１２ａに対するレーザ光の反射角度を調整可能な形状を呈している。
【００５９】
この光ピックアップ装置１によれば、レーザ光源６から出射されるレーザ光の光軸の位置と、回折格子８の分割線８ｃの位置とにばらつきが生じていた場合、この回折格子８を通るレーザ光の光軸の位置に応じて、反射ミラー１２の反射面１２ａの角度を調整できる。具体的には、回折格子８の第１方向Ａは、タンジェンシャル方向Ｔｎに光学的に対応し、回折格子８の第２方向Ｂは、トラッキング方向Ｔｒに光学的に対応している。そこで、例えば、回折格子８の第２方向Ｂにおいて、レーザ光の光軸が通る位置が分割線８ｃからずれた場合、このずれ量に応じて、反射ミラー１２からのレーザ光の光軸がトラッキング方向Ｔｒに移動するように、反射ミラー１２を図７Ｂに矢印ｂ又は矢印ｄで示す方向に移動させる。これによって、ＴＥ信号の視野特性の対称性を高めることができ、ＴＥ信号の精度を高めることができる。
【００６０】
また、前述した光ピックアップ装置１において、反射ミラー１２の反射面１２ａに対するレーザ光の反射角度は、ゴニオステージ３０により調整される。この光ピックアップ装置１では、ゴニオステージ３０及びオートコリメータを用いて、簡易且つ容易に反射ミラー１２の反射面１２ａの角度を調整できる。
【００６１】
前述した実施の形態は、本発明の理解を容易にするためのものであり、本発明を限定して解釈するためのものではない。本発明はその趣旨を逸脱することなく変更や改良等が可能であり、また本発明はその等価物も含むものである。
【００６２】
前述した光ピックアップ装置１では、対物レンズホルダ４は、例えば、第１、第２及び／又は第３光ディスクにレーザ光を集光する対物レンズ５を１つ保持することとしたが、特にこれに限定されるものではない。例えば、対物レンズホルダ４は、第１及び第２光ディスクにレーザ光を集光する第１対物レンズ（不図示）と、第３光ディスクにレーザ光を集光する第２対物レンズ（不図示）との２つの対物レンズを、例えば光ディスクの半径方向ここではトラッキング方向Ｔｒに略沿って並んだ状態で保持していてもよい。また、対物レンズホルダ４は、第１及び第２光ディスクにレーザ光を集光する第１対物レンズ（不図示）と、第３光ディスクにレーザ光を集光する第２対物レンズ（不図示）との２つの対物レンズを、光ディスクのタンジェンシャル方向Ｔｎに略沿って並んだ状態で保持していてもよい。
【００６３】
また、光ピックアップ装置１は、第１光ディスク用の光学系を備えていなくてもよい。また、光ピックアップ装置１は、第２光ディスク用の光学系を備えていなくてもよい。また、光ピックアップ装置１は、第３光ディスク用の光学系を備えていなくてもよい。
【００６４】
また、２つの第１領域８ａおよび第２領域８ｂを備える２分割タイプの回折格子８に代えて、３つの領域を備える３分割タイプの回折格子（不図示）が用いられてもよい。また、例えば、２つの第１領域８ａおよび第２領域８ｂを備える２分割タイプの回折格子８に代えて、４つの領域を備える４分割タイプの回折格子（不図示）が用いられてもよい。このように複数の領域を備える複数分割タイプの回折格子が使用可能とされている。
【符号の説明】
【００６５】
１…光ピックアップ装置、２…ハウジング、３…カバー、４…対物レンズホルダ、５…対物レンズ、６…レーザ光源、７…ホルダ、７ａ…外面、８…回折格子、８ａ…第１領域、８ｂ…第２領域、８ｃ…分割線、９…偏光ビームスプリッタ、１０…１／４波長板、１１…コリメータレンズ、１２…反射ミラー、１２ａ…反射面、１３，１４…平行平板、１５…光検出器、１６…受光素子、１７…板ばね、１７ａ…面、２０…第１収容室、２０ａ…第２の壁、２０ｂ…第１の壁、２０ｃ，２０ｄ…切欠き、２０ｅ，７０…筒部材、２０ｆ…内面、２０ｇ，２１ｄ…内部、２０ｈ，２１ｃ…空間、２１…第２収容室、２１ａ，２１ｂ…壁面、２２ａ，２２ｂ，２２ｃ…接着スポット、３０…ゴニオステージ、３１…吸着部材、３２，３３…調節摘み、３４…本体、３４ａ…ステージ、８０…凹部、８１…凸部、８２…格子面、Ａ…第１方向、Ｂ…第２方向、Ｃ…光軸方向、Ｆ…フォーカス方向、Ｌ１，Ｌ２…長さ、Ｔｎ…タンジェンシャル方向、Ｔｒ…トラッキング方向
【図１】
2013069353.tif 000003
【図２】
2013069353.tif 000004
【図３】
2013069353.tif 000005
【図５】
2013069353.tif 000006
【図６Ａ】
2013069353.tif 000007
【図６Ｂ】
2013069353.tif 000008
【図６Ｃ】
2013069353.tif 000009
【図６Ｄ】
2013069353.tif 000010
【図７Ａ】
2013069353.tif 000011
【図７Ｂ】
2013069353.tif 000012
【図８Ａ】
2013069353.tif 000013
【図８Ｂ】
2013069353.tif 000014
【図９Ａ】
2013069353.tif 000015
【図９Ｂ】
2013069353.tif 000016
【図９Ｃ】
2013069353.tif 000017
【図４】
2013069353.tif 000018